(57)【特許請求の範囲】
【請求項１】
連続媒体に印字を行うプリンタに搭載される連続媒体の切断装置であって、
フレームと、前記フレームに支持された固定刃と、駆動源によって往復直線運動するように駆動される可動刃と、前記固定刃を前記可動刃に向けて付勢する弾性部材とを有し、
連続媒体を間に置き前記固定刃と前記可動刃とが摺動することによって連続媒体をせん断する連続媒体の切断装置において、
前記弾性部材は、屈曲することなく平坦な形状を呈する板バネであり、
前記弾性部材の一端が前記フレーム上に形成された支持面に固定される一方、他端に前記固定刃が取り付けられることにより、前記固定刃は、該弾性部材の撓みに応じて変位可能な状態で、前記フレームによって支持され、
前記弾性部材は、前記他端に向かうほど前記可動刃に近付くように傾斜し、該弾性部材の傾斜角度が、前記固定刃が前記可動刃に対して所定の付勢力を生ずるように設定され、
前記フレームの前記支持面は、該弾性部材の傾斜角度と同じ角度に形成されていることを特徴とする連続媒体の切断装置。
【請求項２】
前記支持面は、前記フレーム上にアングル状に形成されている請求項１に記載の連続媒体の切断装置。
【請求項３】
請求項１または２に記載の連続媒体の切断装置を有することを特徴とするプリンタ。
【発明の詳細な説明】
【技術分野】
【０００１】
本発明は、リール用紙やラベルシート等の連続媒体に印字を行うことが可能なプリンタに搭載され、連続媒体を自動的にせん断する連続媒体の切断装置に関する。
【背景技術】
【０００２】
図１を参照すると、この種の連続媒体の切断装置の一例は、フレーム６４、固定刃６２、および板バネ６３を有する固定刃ユニット６１と、フレーム７、可動刃６、ラック８、シャフト１０、およびピニオン９を有する可動刃ユニット５とを有している。図１中、符号７１、７２は、用紙Ｓを、搬送時に案内すると共に、カット時に可動刃６による押圧によってずれないように支持する用紙ガイドを示す。
【０００３】
この切断装置の動作は次のとおりである。図中、右から左に向かって搬送される用紙Ｓは一旦停止され、可動刃ユニット５のピニオン９が図示しないステッピングモータ等の駆動によって図中Ｊ方向に回転されると、ピニオン９に噛合したラック８とラックに取り付けられている可動刃６が、図中Ｋ方向に動く（上昇する）。固定刃６２と可動刃６とは互いに圧接状態にあり、鋏の原理で用紙Ｓはせん断される。その後、用紙Ｓの搬送が再開し、適宜の位置で切断された図中左側の用紙Ｓがプリンタから排出される。
【０００４】
固定刃６２は、軸支持構造６２ｘを伴ってフレーム６４に回動可能に取り付けられている。固定刃６２は、くの字に屈曲した板バネ６３によって可動刃６に向かって付勢されている。尚、フレーム６４は弾性を持つ金属から成り、板バネ６３はフレーム６４と一体であって、一枚の弾性を持つ金属板をプレス加工することにより、くの字に形成されている。板バネ６３によって付勢された固定刃６２は、ストッパ７８によって初期位置が規定されている。これにより、可動刃５が固定刃６２に重なるまで到来したとき、両刃は所定の圧力で接しながら摺動する。
【０００５】
尚、この種の連続媒体の切断装置を有するプリンタは、例えば、特許文献１〜５に開示されている。
【０００６】
特許文献１〜５に開示された技術において、固定刃および可動刃の一方が回動または揺動可能にする軸支持構造と、その一方の刃を他方の刃に向けて付勢する弾性部材とを有している。特許文献１〜３、５に開示された技術における弾性部材はいずれも、屈曲した板バネである。また、特許文献４に開示された技術における弾性部材は、コイルバネである。
【先行技術文献】
【特許文献】
【０００７】
【特許文献１】実開昭６１−１７２７９３号公報
【特許文献２】実開平０５−０５８３００号公報
【特許文献３】特開２００４−２３７５５５号公報
【特許文献４】特開２００６−２８９５７４号公報
【特許文献５】特許第３８６５２９６号の特許公報
【発明の概要】
【発明が解決しようとする課題】
【０００８】
しかし、図１に示された例、特許文献１〜５に開示された例をも含め、この種の連続媒体の切断装置においては、弾性部材が所定の直径、巻き数、および長さに巻回されたコイルバネまたは所定の角度に屈曲された板バネであるため、弾性部材の製造時（加工時）に形状にばらつきが生じる（所定の形状から逸脱した形状に成形される）可能性がある。弾性部材に形状のばらつきがあると、所望の付勢力を発揮できず、切断装置による切断動作に支障を来たす虞がある。
【０００９】
また、図１に示された例、特許文献１〜５に開示された例をも含め、この種の連続媒体の切断装置においては、固定刃および可動刃の一方を回動または揺動可能にする軸支持構造を有しているため、その構造が比較的複雑である。
【００１０】
それ故、本発明の課題は、切断動作に支障を来たすことがない、簡素な構成の連続媒体の切断装置を提供することである。
【００１１】
本発明の他の課題は、上記のような連続媒体の切断装置を有するプリンタを提供することである。
【課題を解決するための手段】
【００１２】
本発明によれば、連続媒体に印字を行うプリンタに搭載される連続媒体の切断装置であって、フレームと、前記フレームに支持された固定刃と、駆動源によって駆動される可動刃と、前記固定刃を前記可動刃に向けて付勢する弾性部材とを有し、連続媒体を間に置き前記固定刃と前記可動刃とが摺動することによって連続媒体をせん断する連続媒体の切断装置において、前記弾性部材は、屈曲することなく平坦な形状を呈する板バネであり、前記弾性部材の一端が前記フレームに固定される一方、他端に前記固定刃が取り付けられることにより、前記固定刃は、該弾性部材の撓みに応じて変位可能な状態で、前記フレームによって支持されることを特徴とする連続媒体の切断装置が得られる。
【００１３】
前記弾性部材は、前記他端に向かうほど前記可動刃に近付くように傾斜していてもよい。
【００１４】
前記弾性部材の傾斜角度が、前記固定刃が前記可動刃に対して所定の付勢力を生ずるように設定されていてもよい。
【００１５】
前記フレームの前記弾性部材が固定される箇所は、該弾性部材の傾斜角度と同じ角度に形成されていてもよい。
【００１６】
また、本発明によれば、前記連続媒体の切断装置を有することを特徴とするプリンタが得られる。
【発明の効果】
【００１７】
本発明による連続媒体の切断装置は、切断動作に支障を来たすことがなく、また、簡素な構成である。
【図面の簡単な説明】
【００１８】
【図１】本発明の関連技術による連続媒体の切断装置の構成を示す断面図である。
【図２】本発明の実施例による連続媒体の切断装置の構成を示す断面図である。
【図３】図２に示された切断装置の動作を説明するための断面図である。
【発明を実施するための形態】
【００１９】
本発明による連続媒体の切断装置は、連続媒体に印字を行うプリンタに搭載される連続媒体の切断装置であって、フレームと、フレームに支持された固定刃と、駆動源によって駆動される可動刃と、固定刃を可動刃に向けて付勢する弾性部材とを有し、連続媒体を間に置き固定刃と可動刃とが摺動することによって連続媒体をせん断する。
【００２０】
特に、本装置において、弾性部材は、屈曲することなく平坦な形状を呈する板バネであり、弾性部材の一端がフレームに固定される一方、他端に固定刃が取り付けられる。これにより、固定刃は、弾性部材の撓みに応じて変位可能な状態で、フレームによって支持される。
【００２１】
本切断装置は、上記構成により、切断動作に支障を来たすことがなく、また、簡素な構成である。
【００２２】
即ち、弾性部材として屈曲した板バネまたはコイルバネを用いないため、そのような弾性部材の製造時（加工時）に生じ得る形状のばらつきの心配がない。そして、設計どおりの形状である弾性部材によって所望の付勢力を発揮でき、切断装置による切断動作に支障を来たすことがない。
【００２３】
また、弾性部材である板バネによって固定刃を回動可能に支持するため、固定刃および可動刃の一方を回動または揺動可能に構成するための軸支持構造を有しておらず、構造が簡素である。
【実施例】
【００２４】
以下、図面を参照して、本発明による連続媒体の切断装置の実施例を説明する。
【００２５】
図２を参照すると、本発明の実施例の連続媒体の切断装置は、連続媒体としての用紙Ｓ（レシート用紙やラベルシートであってもよい）に印字を行うプリンタ（図示せず）に搭載されるものであって、固定刃ユニット１と、可動刃ユニット５とを有している。
【００２６】
固定刃ユニット１は、フレーム４と、フレーム４に支持された固定刃２と、固定刃２を後述する可動刃６に向けて付勢する弾性部材とを有している。
【００２７】
可動刃ユニット５は、図１に示された関連技術と同様の構造であり、フレーム７と、図示しないステピングモータ等の駆動源に接続されたシャフト１０と、シャフト１０を回転軸とするピニオン９と、ピニオン９に噛合するラック８と、ラック８に取り付けられ、駆動源によってピニオン９およびラック８を介して図中上下方向に駆動される可動刃６とを有している。
【００２８】
尚、図２中、符号１１、１２は、用紙Ｓを、搬送時に案内すると共に、カット時に可動刃６による押圧によってずれないように支持する用紙ガイドを示す。
【００２９】
そして、連続媒体である用紙Ｓを間に置き固定刃２と可動刃６とが摺動することによって用紙Ｓをせん断する。
【００３０】
特に、本装置において、弾性部材は、屈曲することなく平坦な形状を呈する板バネ３であり、その一端がフレーム４に固定される一方、他端に固定刃２が取り付けられる。これにより、固定刃２は、板バネ３の撓みに応じて変位可能な状態で、フレーム４によって支持される。
【００３１】
板バネ３は、他端に向かうほど可動刃６に近付くように傾斜している。板バネ３の傾斜角度は、固定刃２が可動刃６に対して所定の付勢力を生ずるように設定されている。フレーム４の板バネ３が固定される箇所は、板バネ３の傾斜角度と同じ角度に形成されている。
【００３２】
可動刃６と固定刃２との初期位置関係は、可動刃６が図中上昇して固定刃２に重なったときに、固定刃２が可動刃６によって押しやられ、その反力として付勢力が発生するように、図中左右方向にオーバーラップしている。固定刃２の位置が変位するとバネ力が発生し、可動刃６と合わさった場合に押付圧が掛かるようになっている。
【００３３】
次に、本切断装置の動作について、図２および図３を参照して説明する。
【００３４】
図２中、右から左に向かって搬送される用紙Ｓは一旦停止され、可動刃ユニット５のピニオン９が図示しないステッピングモータ等の駆動によって図中Ｊ方向に回転されると、図３に示されるように、ピニオン９に噛合したラック８とラックに取り付けられている可動刃６が、図中Ｋ方向に動く（上昇する）。
【００３５】
到来した可動刃６によって固定刃２が押しやられ、板バネ３が図示のＢ方向に撓み、その反力である付勢力によって可動刃６と固定刃２とは摺動し、鋏の原理で用紙Ｓはせん断される。
【００３６】
カット後は、可動刃６の動作を停止し、動力源が逆転することによって可動刃６は所定の位置まで戻される。その後、用紙Ｓの搬送が再開し、適宜の位置で切断された図中左側の用紙Ｓがプリンタから排出される。
【産業上の利用可能性】
【００３７】
以上、本発明の実施例について説明してきたが、本発明はこれら実施例に限定されるものではなく、本願特許請求の範囲に記載された技術範囲内であれば、種々の変形が可能であることは云うまでもない。
【符号の説明】
【００３８】
１、６１    固定刃ユニット
２、６２    固定刃
３、６３    板バネ
４、６４    フレーム
５    可動刃ユニット
６    可動刃
７    フレーム
８    ラック
９    ピニオン
１０    シャフト
１１、１２、７１、７２    用紙ガイド
６２ｘ  軸支持構造
７８    ストッパ
Ｓ    用紙
【図１】
0005435645.tif 000002
【図２】
0005435645.tif 000003
【図３】
0005435645.tif 000004